(57)【特許請求の範囲】
【請求項１】
建屋内保管品の結露予測方法であって、気象予報データである予報気温T0E 、予報湿度H0E 、並びに、いずれもが実測値である建屋外の気温T1および／または建屋外の湿度H1、建屋内の気温T2、湿度H2、保管品表面温度TMのデータを用い、予め、過去の前記した各種温度データ同士の相関関係、各種湿度データ同士の相関関係に基づき、予報気温T0E 、予報湿度H0E から建屋内の気温T2、湿度H2、保管品表面温度TMを導く回帰式を求め、所定予測時に関する予報気温T0E 、予報湿度H0E から上記回帰式を介して建屋内の予測気温T2E 、予測湿度H2E 、保管品予測表面温度TME を求め、得られた建屋内の予測気温T2E 、予測湿度H2E および湿り空気線図の３者に基づき建屋内空気の予測露点 TdpE を求め、保管品予測表面温度TME と建屋内空気の予測露点 TdpE との対比によって所定予測時の保管品の結露の有無を予測することを特徴とする建屋内保管品の結露予測方法。
【請求項２】
建屋内保管品の結露予測方法であって、気象予報データである予報気温T0E 、予報湿度H0E 、並びに、いずれもが実測値である建屋外の気温T1、湿度H1、建屋内の気温T2、湿度H2、保管品表面温度TMのデータを用い、予め、過去の前記したデータの相関関係に基づき下記回帰式(1) 〜(5) を求め、所定予測時に関する予報気温T0E と回帰式(1) 、(2) 、(3) とからT2、TMを求め、所定予測時に関する予報湿度H0E と回帰式(4) 、(5) とからH2を求め、得られたH2である建屋内予測湿度H2E 、得られたT2である建屋内予測気温T2E および湿り空気線図の３者に基づき建屋内空気の予測露点 TdpE を求め、得られたTMである保管品予測表面温度TME と建屋内空気の予測露点 TdpE との対比によって所定予測時の保管品の結露の有無を予測することを特徴とする建屋内保管品の結露予測方法。
記
建屋外気温T1の予報気温T0E に対する回帰式：T1＝ｆ(T0E) ……(1)
建屋内気温T2の建屋外気温T1に対する回帰式：T2＝ｇ(T1)………(2)
保管品表面温度TMの建屋内気温T2または建屋外気温T1に対する回帰式：
TM＝ｈ（T2またはT1）……(3)
建屋外湿度H1の予報湿度H0E に対する回帰式：H1＝ｉ(H0E) ……(4)
建屋内湿度H2の建屋外湿度H1に対する回帰式：H2＝ｊ(H1)………(5)
【請求項３】
建屋内保管品の結露予測装置であって、気象予報データである予報気温T0E 、予報湿度H0E 、並びに、建屋外の気温T1および／または建屋外の湿度H1、建屋内の気温T2、湿度H2、保管品表面温度TMのデータの入力装置と、入力データの記憶装置と、前記した各種温度データ同士の相関関係、各種湿度データ同士の相関関係を規定する回帰式であって、予報気温T0E 、予報湿度H0E から建屋内の気温T2、湿度H2、保管品表面温度TMを導く回帰式の関数形を記憶すると共に、前記記憶装置に記憶された入力データに基づき前記回帰式の係数を演算し、記憶する回帰式演算・記憶装置と、該回帰式演算・記憶装置に記憶された回帰式と所定予測時に関する予報気温T0E 、予報湿度H0E とから建屋内の気温T2、湿度H2、保管品表面温度TMを求める予測演算装置と、該予測演算装置で求められた建屋内の気温T2、湿度H2である建屋内予測気温T2E 、建屋内予測湿度H2E および予め記憶した湿り空気線図の３者に基づき建屋内空気の予測露点 TdpE を求める露点演算装置と、前記予測演算装置で求められた保管品表面温度TMである保管品予測表面温度TME と前記露点演算装置で求められた建屋内空気の予測露点 TdpE との比較装置を有することを特徴とする建屋内保管品の結露予測装置。
【請求項４】
建屋内保管品の結露予測装置であって、気象予報データである予報気温T0E 、予報湿度H0E 、並びに、建屋外の気温T1、湿度H1、建屋内の気温T2、湿度RH2 、保管品表面温度TMのデータの入力装置と、入力データの記憶装置と、予め定められた下記回帰式(1) 〜(5) の関数形を記憶すると共に、前記記憶装置に記憶された入力データに基づき回帰式(1) 〜(5) の係数を演算し、記憶する回帰式演算・記憶装置と、該回帰式演算・記憶装置に記憶された回帰式(1) 、(2) 、(3) と所定予測時に関する予報気温T0E とからT2、TMを求め、回帰式(4) 、(5) と所定予測時に関する予報湿度H0E とからH2を求める予測演算装置と、該予測演算装置で求められたT2、H2である建屋内予測気温T2E 、建屋内予測湿度H2E および予め記憶した湿り空気線図の３者に基づき建屋内空気の予測露点 TdpE を求める露点演算装置と、前記予測演算装置で求められたTMである保管品予測表面温度TME と前記露点演算装置で求められた建屋内空気の予測露点 TdpE との比較装置を有することを特徴とする建屋内保管品の結露予測装置。
記
建屋外気温T1の予報気温T0E に対する回帰式：T1＝ｆ(T0E) ………(1)
建屋内気温T2の建屋外気温T1に対する回帰式：T2＝ｇ(T1)…………(2)
保管品表面温度TMの建屋内気温T2または建屋外気温T1に対する回帰式：
TM＝ｈ（T2またはT1）……(3)
建屋外湿度H1の予報湿度H0E に対する回帰式：H1＝ｉ（H0E ）……(4)
建屋内湿度H2の建屋外湿度H1に対する回帰式：H2＝ｊ（H1）………(5)
【発明の詳細な説明】
【０００１】
【発明の属する技術分野】
本発明は、建屋内に保管中の金属製品など建屋内保管品の結露予測方法および結露予測装置に関し、特に、結露防止に対する対応の遅れ、結露予測の誤りもしくは結露予測時刻と実際の結露時刻とのずれによる保管品の品質の低下、結露防止対策時におけるエネルギー消費量の増加、作業負荷の増大を防止することが可能な、信頼性の高い建屋内保管品の結露予測方法および結露予測装置を提供することを目的とする。
【０００２】
【従来の技術】
鋼帯コイルなどの金属コイル、化学品などは二次加工時もしくは出荷時まで倉庫などの建屋内に一時保管されることが多い。
また、食料原料も倉庫などの建屋内に一時保管されることが多い。
この場合、保管品の表面温度が建屋内空気の温度、湿度から定まる露点以下となると、保管品に結露が生じる。
【０００３】
例えば、金属コイルの表面に結露が生じると、発錆し、塗装や印刷を施す場合、塗料やインクとの密着性が損なわれる。
また、化学品、食料原料に結露が生じた場合、それらの品質が低下する。
上記した建屋内保管品への結露防止方法としては、建屋内の空調によって雰囲気空気の温度を高めるか除湿を行って、雰囲気空気の相対湿度を低下する方法が採用される。
【０００４】
しかしながら、多数の金属コイルを保管する場合など保管品の容積が大きい場合、保管建屋が大きく、空調によって相対湿度を低下するためには膨大なエネルギーが必要となる。
このため、従来、建屋内保管品の結露の発生の有無の予測を行い、結露予測時に、事前に結露防止対策を施す結露防止方法、結露防止装置が報告されている。
【０００５】
すなわち、上記した結露予測方法、装置、結露防止方法、装置として、下記（１）  〜（３）  が報告されている。
（１）  製品の表面温度および製品周辺の雰囲気露点の測定値に基づく結露の予測（特開平５−  ８７３７９号公報参照）：
製品の表面温度および製品周辺の雰囲気露点を測定し、過去の測定値の傾向から所定時間後の製品の表面温度および製品周辺の雰囲気露点を予測し、ΔＴ＝（製品の表面温度−雰囲気露点）が所定の値となった時点で警報を報知する。
【０００６】
上記警報が報知された時点で、建屋内の温度または湿度を操作する。
（２）  大気露点温度、倉庫内露点温度および製品の表面温度の測定値に基づく結露の予測、結露の防止（特開平６−３２３６０３号公報参照）：
大気露点温度：ＤＯ  、倉庫内露点温度：ＤＩ  および製品の表面温度：ＦＴ  をそれぞれ定時的に測定して演算装置へ入力し、表面温度ＦＴ  −大気露点温度ＤＯ  が経験的に設定した温度差ΔＴＯ  より小さいときは、演算装置から出力する信号に命令されレベルに応じて警報を発するか、または倉庫のシャッタ閉鎖を実施する。
【０００７】
一方、表面温度ＦＴ  −大気露点温度ＤＯ  が経験的に設定した温度差ΔＴＯ  より小さくなく、かつ大気露点温度が上昇しつつある場合、大気露点温度の経時的推移から、大気露点温度と時間の関係を直線式に回帰し、大気露点温度が製品の表面温度と等しくなる結露予測時間を求める。
上記結露予測時間を大気露点温度の経時的勾配の変化率で補正し、得られた予測結露時間が設定予報時間より小さい時、予報を発する。
【０００８】
また、上記の管理と並行して、表面温度ＦＴ  と倉庫内露点温度ＤＩ  の温度差ΔＴＩ  を演算し、演算装置からの出力信号によって除湿機を稼働する。
さらに、上記温度差ΔＴＩ  の経時的勾配の大きさに応じて複数の除湿機の稼働台数を増減する。
（３）  室外の温度および湿度の検出結果に基づく露点温度および製品の表面温度の検出結果の比較に基づく結露防止装置（特開昭６０−１４００３９号公報参照）：
上記結露防止装置は、室外の温度および湿度を検出する外気センサと、外気センサから出力される温度信号および湿度信号に基づき空気線図から露点温度を求める演算回路と、製品の表面温度を検出する表面温度センサと、上記演算回路から出力される露点温度と製品の表面温度の検出結果と対比し、製品に結露が生じるか否かを判断する判断手段と、結露が生じると判断された場合、除湿機、エアカーテン等の負荷を作動せしめる制御手段とを備えた結露防止装置である。
【０００９】
以上、従来の結露予測方法、装置、結露防止方法、装置について述べたが、上記した従来技術の場合、いずれも下記の問題点を有している。
（１）  対応の遅れ：
特に、冬場において、建屋内の空気の露点と保管品の表面温度の経時的変化が大きく、結露警報が出てから結露に至るまでの時間が短く、対応が間に合わない場合が生じる。
【００１０】
（２）  気象の変化による結露予測のエラー：
従来技術は、いずれの場合も、全てが過去のデータである温度、湿度に基づいて結露を予測する方法であり、長時間の過去のデータを用いる場合、気象の変化に対する追随性が悪く、結露予測のエラーを生じ、保管品に結露が生じる可能性がある。
【００１１】
（３）  直近の温度、湿度のデータを用いる場合のエネルギー消費量の増加、作業効率の低下：
結露予測において直近の温度、湿度のデータを用いる場合、実際に結露が生じるかなり長時間前に空調機の稼働、建屋入口の閉鎖などの結露防止対策を講じる可能性があり、その間、余分のエネルギーを消費するか、もしくは作業負荷の増大が生じる。
【００１２】
【発明が解決しようとする課題】
本発明は、前記した従来技術の問題点を解決し、結露防止に対する対応の遅れ、結露予測の誤りもしくは結露予測時刻と実際の結露時刻とのずれによる保管品の品質の低下、結露防止対策時におけるエネルギー消費量の増加、作業負荷の増大を防止することが可能な、信頼性の高い建屋内保管品の結露予測方法および結露予測装置を提供することを目的とする。
【００１３】
【課題を解決するための手段】
【００１４】
第１の発明は、気象予報データとして予報気温、予報湿度を用い、建屋外雰囲気データとして建屋外の気温および／または建屋外の湿度を用い、建屋内雰囲気データとして建屋内の気温、湿度を用いるものである。
すなわち、建屋内保管品の結露予測方法であって、気象予報データである予報気温T0E 、予報湿度H0E 並びに、いずれもが実測値である建屋外の気温T1および／または建屋外の湿度H1、建屋内の気温T2、湿度H2、保管品表面温度TMのデータを用い、予め、過去の前記した各種温度データ同士の相関関係、各種湿度データ同士の相関関係に基づき、予報気温T0E 、予報湿度H0E から建屋内の気温T2、湿度H2、保管品表面温度TMを導く回帰式を求め、所定予測時に関する予報気温T0E 、予報湿度H0E から上記回帰式を介して建屋内の予測気温T2E 、予測湿度H2E 、保管品予測表面温度TME を求め、得られた建屋内の予測気温T2E 、予測湿度H2E および湿り空気線図の３者に基づき建屋内空気の予測露点 TdpE を求め、保管品予測表面温度TME と建屋内空気の予測露点 TdpE との対比によって所定予測時の保管品の結露の有無を予測することを特徴とする建屋内保管品の結露予測方法である。
【００１５】
第２の発明は、建屋内保管品の結露予測方法であって、気象予報データである予報気温T0E 、予報湿度H0E 、並びに、いずれもが実測値である建屋外の気温T1、湿度H1、建屋内の気温T2、湿度H2、保管品表面温度TMのデータを用い、予め、過去の前記したデータの相関関係に基づき下記回帰式(1) 〜(5) を求め、所定予測時に関する予報気温T0E と回帰式(1) 、(2) 、(3) とからT2、TMを求め、所定予測時に関する予報湿度H0E と回帰式(4) 、(5) とからH2を求め、得られたH2である建屋内予測湿度H2E 、得られたT2である建屋内予測気温T2E および湿り空気線図の３者に基づき建屋内空気の予測露点 TdpE を求め、得られたTMである保管品予測表面温度TME と建屋内空気の予測露点 TdpE との対比によって所定予測時の保管品の結露の有無を予測することを特徴とする建屋内保管品の結露予測方法である。
【００１６】
建屋外気温T1の予報気温T0E に対する回帰式：T1＝ｆ(T0E) ……(1)
建屋内気温T2の建屋外気温T1に対する回帰式：T2＝ｇ(T1)………(2)
保管品表面温度TMの建屋内気温T2または建屋外気温T1に対する回帰式：
TM＝ｈ（T2またはT1）……(3)
建屋外湿度H1の予報湿度H0E に対する回帰式：H1＝ｉ(H0E) ……(4)
建屋内湿度H2の建屋外湿度H1に対する回帰式：H2＝ｊ(H1)………(5)
なお、前記した第２の発明においては、前記した所定予測時に関する予報気温T0E と回帰式(1) 、(2) 、(3) とからT2、TMを求めるに際しては、予報気温T0E と回帰式(1) とからT1を求め、得られたT1と回帰式(2) とからT2を求め、得られたT2またはT1と回帰式(3) とからTMを求めることができる。
【００１７】
また、前記した第２の発明においては、前記した所定予測時に関する予報湿度H0E と回帰式(4) 、(5) とからH2を求めるに際しては、予報湿度H0E と回帰式(4) とからH1を求め、得られたH1と回帰式(5) とからH2を求めることができる。
【００１８】
第３の発明は、気象予報データとして予報気温、予報湿度を用い、建屋外雰囲気データとして建屋外の気温および／または建屋外の湿度を用い、建屋内雰囲気データとして建屋内の気温、湿度を用いるものである。
第３の発明は、建屋内保管品の結露予測装置であって、気象予報データである予報気温T0E 、予報湿度H0E 、並びに、建屋外の気温T1および／または建屋外の湿度H1、建屋内の気温T2、湿度H2、保管品表面温度TMのデータの入力装置と、入力データの記憶装置と、前記した各種温度データ同士の相関関係、各種湿度データ同士の相関関係を規定する回帰式であって、予報気温T0E 、予報湿度H0E から建屋内の気温T2、湿度H2、保管品表面温度TMを導く回帰式の関数形を記憶すると共に、前記記憶装置に記憶された入力データに基づき前記回帰式の係数を演算し、記憶する回帰式演算・記憶装置と、該回帰式演算・記憶装置に記憶された回帰式と所定予測時に関する予報気温T0E 、予報湿度H0E とから建屋内の気温T2、湿度H2、保管品表面温度TMを求める予測演算装置と、該予測演算装置で求められた建屋内の気温T2、湿度H2である建屋内予測気温T2E 、建屋内予測湿度H2E および予め記憶した湿り空気線図の３者に基づき建屋内空気の予測露点 TdpE を求める露点演算装置と、前記予測演算装置で求められた保管品表面温度TMである保管品予測表面温度TME と前記露点演算装置で求められた建屋内空気の予測露点 TdpE との比較装置を有することを特徴とする建屋内保管品の結露予測装置である。
【００１９】
前記した第３の発明においては、前記比較装置が、前記保管品予測表面温度TME と前記建屋内空気の予測露点 TdpE との差ΔＴ＝（TME − TdpE ）を求める温度偏差演算装置であることが好ましい。
第４の発明は、建屋内保管品の結露予測装置であって、気象予報データである予報気温T0E 、予報湿度H0E 、並びに、建屋外の気温T1、湿度H1、建屋内の気温T2、湿度RH2 、保管品表面温度TMのデータの入力装置と、入力データの記憶装置と、予め定められた下記回帰式(1) 〜(5) の関数形を記憶し、前記記憶装置に記憶された入力データに基づき回帰式(1) 〜(5) の係数を演算し、記憶する回帰式演算・記憶装置と、該回帰式演算・記憶装置に記憶された回帰式(1) 、(2) 、(3) と所定予測時に関する予報気温T0E とからT2、TMを求め、回帰式(4) 、(5) と所定予測時に関する予報湿度H0E とからH2を求める予測演算装置と、該予測演算装置で求められたT2、H2である建屋内予測気温T2E 、建屋内予測湿度H2E および予め記憶した湿り空気線図の３者に基づき建屋内空気の予測露点 TdpE を求める露点演算装置と、前記予測演算装置で求められたTMである保管品予測表面温度TME と前記露点演算装置で求められた建屋内空気の予測露点 TdpE との差ΔＴ＝（TME − TdpE ）を求める温度偏差演算装置を有することを特徴とする建屋内保管品の結露予測装置である。
【００２０】
建屋外気温T1の予報気温T0E に対する回帰式：T1＝ｆ(T0E) ………(1)
建屋内気温T2の建屋外気温T1に対する回帰式：T2＝ｇ(T1)…………(2)
保管品表面温度TMの建屋内気温T2または建屋外気温T1に対する回帰式：
TM＝ｈ（T2またはT1）……(3)
建屋外湿度H1の予報湿度H0E に対する回帰式：H1＝ｉ（H0E ）……(4)
建屋内湿度H2の建屋外湿度H1に対する回帰式：H2＝ｊ（H1）………(5)
前記した第４の発明においては、前記比較装置が、前記保管品予測表面温度TME と前記建屋内空気の予測露点 TdpE との差ΔＴ＝（TME − TdpE ）を求める温度偏差演算装置であることが好ましい。
【００２１】
なお、前記した第４の発明においては、前記回帰式演算・記憶装置に記憶された回帰式(1) 、(2) 、(3) と所定予測時に関する予報気温T0E とからT2、TMを求め、回帰式(4) 、(5) と所定予測時に関する予報湿度H0E とからH2を求める予測演算装置として、所定予測時に関する予報気温T0E と回帰式(1) とからT1を演算し、得られたT1と回帰式(2) とからT2を演算し、得られたT2またはT1と回帰式(3) とからTMを演算し、所定予測時に関する予報湿度H0E と回帰式(4) とからH1を演算し、得られたH1と回帰式(5) とからH2を演算する予測演算装置を用いることができる。
【００２２】
【発明の実施の形態】
以下、本発明をさらに詳細に説明する。
本発明者らは、前記した従来技術の問題点を解決するために鋭意検討した結果、従来のように過去のデータである温度、湿度、露点に基づいて結露を予測する場合、どのような予測式を用いても、予測の正確さ、結露発生予測時刻の正確さに限界があると考えた。
【００２３】
このため、本発明者らは、下記（１）  、（２）  の方法によって結露を予測することによって、信頼性の高い建屋内保管品の結露予測方法および結露予測装置を提供することが可能であることを見出し、本発明に至った。
（１）  気象予報データの使用：
近年、気象庁が、スーパーコンピューターでシュミレーションによって４８時間先の各都道府県別の気象予報データを作成している。
【００２４】
さらに、上記した気象予報データを民間の気象予報会社が入手し、補正を行うことによって、比較的狭い地域を対象とした気象予報データを作成し、需要家に市販している。
本発明においては、気象予報データ、より好ましくは上記した気象庁の各都道府県別の気象予報データ、さらに好ましくは該気象予報データを補正した比較的狭い地域の気象予報データを使用して結露の予測を行う。
【００２５】
この結果、本発明によれば、気象変化の影響、季節による気象変化の大きさの変動の影響を受けることなく、信頼性の高い結露予測方法および結露予測装置を提供することが可能となった。
（２）  気象予報データと建屋外雰囲気データ、建屋内雰囲気データ、建屋内保管品表面温度のデータとの結合：
予報温度、予報湿度などの気象予報データから、直接、建屋内の保管品の結露の予測を行うことも可能であるが、▲１▼気象予報データと▲２▼建屋外の気温、湿度などの建屋外雰囲気データ、▲３▼建屋内の気温、湿度などの建屋内雰囲気データおよび▲４▼保管品表面温度のデータとを結合することによって、信頼性の高い結露予測方法および結露予測装置を提供することができる。
【００２６】
以下、第１の発明〜第３の発明の結露予測方法およびそれぞれの発明の結露予測方法に対応する第４の発明〜第６の発明の結露予測装置を説明する。
［１］  第１の発明の結露予測方法、第４の発明の結露予測装置：
第１の発明の結露予測方法および第１の発明の予測フローに従う第４の発明の結露予測装置は、上記した気象予報データと建屋外雰囲気データ、建屋内雰囲気データ、建屋内保管品表面温度のデータとの結合に基づく建屋内保管品の結露予測に関する本発明の基本的構成である。
【００２７】
すなわち、第１の発明の結露予測方法においては、気象予報データ、実測値である建屋外雰囲気データ、建屋内雰囲気データおよび保管品表面温度のデータを用いる。
なお、上記した気象予報データとしては予報気温、予報湿度を用い、建屋外雰囲気データとしては建屋外の気温および／または建屋外の湿度を用い、建屋内雰囲気データとしては建屋内の気温、湿度を用いることが好ましい。
【００２８】
結露予測は、下記予測フローにしたがって行う。
先ず、予め、過去の前記した各種データ同士の相関関係を規定する回帰式を求める。
次に、所定予測時に関する気象予報データから前記回帰式を介して建屋内予測雰囲気データおよび保管品予測表面温度を求める。
【００２９】
次に、上記で得られた建屋内予測雰囲気データより求められる建屋内空気の予測露点と保管品予測表面温度との対比に基づき所定予測時の保管品の結露の有無を予測する。
第１の発明の予測フローに従う第４の発明の結露予測装置は、下記装置から構成される。
【００３０】
（１）  気象予報データ、建屋外雰囲気データ、建屋内雰囲気データ、保管品表面温度のデータの入力装置
なお、気象予報データとしては予報気温、予報湿度を用い、建屋外雰囲気データとしては建屋外の気温および／または建屋外の湿度を用い、建屋内雰囲気データとしては建屋内の気温、湿度を用いることが好ましい。
【００３１】
（２）  入力データの記憶装置
（３）  回帰式演算・記憶装置
回帰式演算・記憶装置においては、上記した各種データ同士の相関関係を規定する回帰式の関数形を記憶し、さらに、上記記憶装置に記憶された入力データに基づき上記回帰式の係数を演算し、記憶する。
【００３２】
（４）  予測演算装置
予測演算装置においては、回帰式演算・記憶装置に記憶された回帰式と所定予測時に関する気象予報データとから建屋内予測雰囲気データおよび保管品予測表面温度を求める。
（５）  露点演算装置
露点演算装置においては、予測演算装置で求められた建屋内予測雰囲気データに基づき建屋内空気の予測露点を求める。
【００３３】
（６）  比較装置
比較装置においては、予測演算装置で求められた保管品予測表面温度と露点演算装置で求められた建屋内空気の予測露点との比較を行い、所定予測時の保管品の結露の有無を予測する。
図１に、本発明の建屋内保管品の結露予測方法におけるシステム構成の一例を示す。
【００３４】
図１に示す結露予測方法においては、保管品収納建屋（以下建屋とも記す）が配設された地域の気象予報データ、すなわち比較的狭い地域に関する気象予報データを、例えば  民間の気象予報会社から購入する。
一方、建屋の外部周辺の気温および／または湿度および建屋内部の気温、湿度および建屋内保管品の表面温度を実測し、これらのデータを電話回線で、結露予測装置のコンピュータに伝送する。
【００３５】
結露予測装置のコンピュータにおいては、前記した予測フローに従って結露の予測を行う。
なお、後記する第２の発明、第３の発明の結露予測方法、第５の発明、第６の発明の結露予測装置においても同様に結露予測装置のコンピュータにおいて、後記する予測フローに従って結露の予測を行う。
【００３６】
本発明によれば、過去の気象予報データ、建屋外雰囲気データ、建屋内雰囲気データ、保管品表面温度のデータの温度データ同士の相関関係、湿度データ同士の相関関係の各々を規定する回帰式と、所定予測時の気象予報データとから建屋内の保管品の表面温度、建屋内空気の露点を予測することによって、下記（１）  〜（３）  の優れた効果が得られる。
【００３７】
（１）  気象の変化に対応した結露予測が可能となる。
（２）  建屋の立地条件に対応した結露予測が可能となる。
（３）  建屋の構造に対応した結露予測が可能となる。
［２］  第２の発明の結露予測方法、第５の発明の結露予測装置：
以下、第２の発明の結露予測方法および第２の発明の予測フローに従う第５の発明の結露予測装置について述べる。
【００３８】
図２に、第２の発明の結露予測方法の予測フロー、第５の発明の結露予測装置の一例を示す。
図２に示す結露予測方法、結露予測装置においては、下記内容の予測フローにしたがって保管品の結露予測を行う。
（１）  データのコンピュータへの入力、記憶〔入力装置、記憶装置〕：
本発明においては、下記データをコンピュータへ入力し、記憶せしめる。
【００３９】
〔入力、記憶データ：〕
（気象予報データＸｉ  ：）
予報気温：Ｔ０Ｅ  、予報湿度：Ｈ０Ｅ  
（建屋外雰囲気実測データＹｉ  ：）
建屋外の気温：Ｔ１および／または建屋外の湿度：Ｈ１
（建屋内雰囲気実測データＺｉ  ：）
建屋内の気温：Ｔ２、湿度：Ｈ２
（建屋内保管品表面温度実測データ：ＴＭ）
なお、前記した予報湿度Ｈ０Ｅ  、建屋外の湿度Ｈ１、建屋内の湿度Ｈ２としては、絶対湿度、相対湿度のいずれを用いてもよい。
【００４０】
（２）  過去のデータからの回帰式の作成〔回帰式演算・記憶装置〕：
記憶装置に記憶されたデータを用い、回帰式演算・記憶装置において、過去の上記した各種温度データ〔：Ｔ０Ｅ  、（Ｔ１）、Ｔ２、ＴＭ〕同士の相関関係、各種湿度データ〔Ｈ０Ｅ  、（Ｈ１）、Ｈ２〕同士の相関関係に基づき、予報気温Ｔ０Ｅ  、予報湿度Ｈ０Ｅ  から建屋内の気温Ｔ２、湿度Ｈ２、保管品表面温度ＴＭを導く回帰式を求める。
【００４１】
上記した回帰式としては、目的変数および説明変数の両者に温度データを用いた回帰式および目的変数および説明変数の両者に湿度データを用いた回帰式を用いる。
予報気温Ｔ０Ｅ  から建屋内の気温Ｔ２、保管品表面温度ＴＭを導く回帰式としては、下記回帰式（Ａ１）〜（Ａ３）の組合せ、または下記回帰式（Ｂ１）、（Ｂ２）の組み合わせ、または下記回帰式（Ｃ１）、（Ｃ２）の組合せが例示される。
【００４２】
0003551088.tif 000002
予報湿度Ｈ０Ｅ  から建屋内の湿度Ｈ２を導く回帰式としては、下記回帰式（Ｄ１）、（Ｄ２）の組合せが例示される。
【００４３】
0003551088.tif 000003
また、回帰式の関数形は直線、曲線のいずれにも限定されるものではないが、一次式を用いる直線回帰が演算速度の面から好ましい。
なお、第２の発明、第５の発明においては、予報気温Ｔ０Ｅ  と建屋外の気温Ｔ１との対応がよい場合、もしくは予報湿度Ｈ０Ｅ  と建屋内の湿度Ｈ２との対応がよい場合は、建屋外の湿度Ｈ１、もしくは建屋外の気温Ｔ１のいずれか片方のみに関する回帰式を用いてもよい。
【００４４】
すなわち、例えば、予報気温Ｔ０Ｅ  と建屋外の気温Ｔ１との対応がよい場合は、前記した回帰式（Ｃ１）に示すように、建屋外の気温Ｔ１を介さずに、予報気温Ｔ０Ｅ  から、直接、建屋内気温Ｔ２を予測する回帰式（Ｃ１）を用いてもよい。
なお、図２に示すように、第５の発明の結露予測装置においては、回帰式演算・記憶装置として、予め定められた回帰式の関数形を記憶し、記憶装置の記憶データに基づき、好ましくは最小二乗法で回帰式の係数を演算し、得られた回帰式（係数が定まった関数形）を記憶する回帰式演算・記憶装置を用いる。
【００４５】
（３）  所定予測時に関する建屋内の予測気温Ｔ２Ｅ  、保管品予測表面温度ＴＭＥ  、建屋内の予測湿度Ｈ２Ｅ  の予測〔予測演算装置〕：
本発明においては、図２の予測演算装置に示されるように、所定予測時に関する予報気温Ｔ０Ｅ  、予報湿度Ｈ０Ｅ  から前記回帰式を順次介して建屋内の予測気温Ｔ２Ｅ  、保管品予測表面温度ＴＭＥ  、建屋内の予測湿度Ｈ２Ｅ  を求める。
【００４６】
（４）  所定予測時に関する建屋内空気の予測露点  ＴｄｐＥ  の予測〔予測露点演算装置〕：
上記（３）  で求められた建屋内の予測気温Ｔ２Ｅ  、予測湿度Ｈ２Ｅ  および湿り空気線図の３者から建屋内空気の予測露点  ＴｄｐＥ  を求める。
（５）  所定予測時の保管品の結露の有無の予測〔比較装置〕：
前記（３）  、（４）  で得られた保管品予測表面温度ＴＭＥ  と建屋内空気の予測露点  ＴｄｐＥ  との対比によって所定予測時の保管品の結露の有無を予測する。
【００４７】
この場合、保管品予測表面温度ＴＭＥ  と建屋内空気の予測露点  ＴｄｐＥ  との差である下記式で示される温度偏差ΔＴを、保管品の結露の有無の指標として用いることが好ましい。
ΔＴ＝保管品予測表面温度ＴＭＥ  −建屋内空気の予測露点  ＴｄｐＥ  
［３］  第３の発明の結露予測方法、第６の発明の結露予測装置：
次に、本発明におけるより好ましい結露予測方法、結露予測装置である第３の発明の結露予測方法および第３の発明の予測フローに従う第６の発明の結露予測装置について述べる。
【００４８】
図３に、第３の発明の結露予測方法の予測フローを、図４に第６の発明の結露予測装置の一例を示す。
図３、図４に示す結露予測方法、結露予測装置においては、下記内容の予測フローにしたがって保管品の結露予測を行う。
なお、図３、図４に示す予測フローは、所定予測時として現時点から４８時間先を選択した。
【００４９】
（１）  データのコンピュータへの入力、記憶〔入力装置、記憶装置〕：
本発明においては、下記データをコンピュータへ入力し、記憶せしめる。
〔入力、記憶データ：〕
（気象予報データ：）
予報気温：Ｔ０Ｅ  、予報湿度：Ｈ０Ｅ  、予報風向き：ＷＤＥ  、予報風速：ＷＳＥ  
（建屋外実測データ：）
建屋外の気温：Ｔ１、建屋外の湿度：Ｈ１
（建屋内実測データ：）
建屋内の気温：Ｔ２、建屋内の湿度：Ｈ２、保管品表面温度：ＴＭ
なお、前記した予報湿度Ｈ０Ｅ  、建屋外の湿度Ｈ１、建屋内の湿度Ｈ２としては、絶対湿度、相対湿度のいずれを用いてもよい。
【００５０】
なお、以下、過去の日時ｔｉ  について予報された気象予報データすなわち過去の日時ｔｉ  についての気象予報データを、Ｔ０Ｅ  （ｔｉ  ）  、Ｈ０Ｅ  （ｔｉ  ）  、ＷＤＥ  （ｔｉ  ）  、ＷＳＥ  （ｔｉ  ）  と記し、上記と同じ過去の日時ｔｉ  における建屋外、建屋内の実測データを、Ｔ１（ｔｉ  ）  、Ｈ１（ｔｉ  ）  、Ｔ２（ｔｉ  ）  、Ｈ２（ｔｉ  ）  、ＴＭ（ｔｉ  ）  と記す。
（２）  過去のデータからの回帰式の作成〔回帰式演算・記憶装置〕：
コンピュータの記憶装置に蓄積されたデータに基づいて、回帰式演算・記憶装置において、下記回帰式（１）  〜（５）  で示される回帰式が演算、記憶される。
【００５１】
なお、図４に示すように、第６の発明の結露予測装置においては、回帰式演算・記憶装置として、予め定められた下記回帰式（１）  〜（５）  の関数形を記憶し、記憶装置の記憶データに基づき、好ましくは最小二乗法で回帰式の係数を演算し、得られた回帰式（係数が定まった関数形）を記憶する回帰式演算・記憶装置を用いる。
【００５２】
▲１▼；建屋外気温Ｔ１の予報気温Ｔ０Ｅ  に対する回帰式：Ｔ１＝ｆ（Ｔ０Ｅ）  ………（１）
▲２▼；建屋内気温Ｔ２の建屋外気温Ｔ１に対する回帰式：Ｔ２＝ｇ（Ｔ１）…………（２）
▲３▼；保管品表面温度ＴＭの建屋内気温Ｔ２または建屋外気温Ｔ１に対する回帰式：
ＴＭ＝ｈ（Ｔ２またはＴ１）……（３）
▲４▼；建屋外湿度Ｈ１の予報湿度Ｈ０Ｅ  に対する回帰式：Ｈ１＝ｉ（Ｈ０Ｅ）  ………（４）
▲５▼；建屋内湿度Ｈ２の建屋外湿度Ｈ１に対する回帰式：Ｈ２＝ｊ（Ｈ１）    ………（５）
なお、回帰式は、過去の日時ｔｉ  についての気象予報データと同じ過去の日時ｔｉ  における建屋外、建屋内の実測データとの対応から求めることが好ましい。
【００５３】
また、回帰式の関数形は直線、曲線のいずれにも限定されるものではないが、一次式を用いる直線回帰が演算速度の面から好ましい。
また、回帰式は、季節などの気象条件により変化するため、１年間に４回以上更新することが好ましい。
図５（ａ）  、（ｂ）  に、前記回帰式（１）  、（４）  の例を示す。
【００５４】
（３）  所定予測時に関する建屋内の予測気温Ｔ２Ｅ  、保管品予測表面温度ＴＭＥ  、建屋内の予測湿度Ｈ２Ｅ  の予測〔予測演算装置〕：
所定予測時として選択した４８時間先の予報気温Ｔ０Ｅ  （４８）および回帰式（１）  から、４８時間先の建屋外の予測気温Ｔ１Ｅ  （４８）を求める。
得られた予測気温Ｔ１Ｅ  （４８）と回帰式（２）  から、４８時間先の建屋内の予測気温Ｔ２Ｅ  （４８）を求める。
【００５５】
上記で得られた４８時間先の建屋内の予測気温Ｔ２Ｅ  （４８）または建屋外の予測気温Ｔ１Ｅ  （４８）と回帰式（３）  から、４８時間先の建屋内の保管品予測表面温度ＴＭＥ  （４８）を求める。
一方、４８時間先の予報湿度Ｈ０Ｅ  （４８）および回帰式（４）  から、４８時間先の建屋外の予測湿度Ｈ１Ｅ  （４８）を求める。
【００５６】
得られた予測湿度Ｈ１Ｅ  （４８）と回帰式（５）  から、４８時間先の建屋内の予測湿度Ｈ２Ｅ  （４８）を求める。
なお、図４の予測演算装置としては、所定予測時に関する予報気温Ｔ０Ｅ  と回帰式（１）  とからＴ１を演算し、得られたＴ１と回帰式（２）  とからＴ２を演算し、得られたＴ２またはＴ１と回帰式（３）  とからＴＭを演算し、所定予測時に関する予報湿度Ｈ０Ｅ  と回帰式（４）  とからＨ１を演算し、得られたＨ１と回帰式（５）  とからＨ２を演算する予測演算装置を用いることができる。
【００５７】
（４）  所定予測時に関する建屋内空気の予測露点  ＴｄｐＥ  の予測〔予測露点演算装置〕：
上記（３）  で求められた４８時間先の建屋内の予測気温Ｔ２Ｅ  （４８）、建屋内の予測湿度Ｈ２Ｅ  （４８）および湿り空気線図の３者から、４８時間先の建屋内空気の予測露点  ＴｄｐＥ  （４８）を求める。
【００５８】
なお、予測露点演算装置においては、予め湿り空気線図が記憶されており、建屋内空気の予測露点  ＴｄｐＥ  は上記３者に基づき、自動的に演算される。
（５）  所定予測時の保管品の結露の有無の予測〔比較装置〕：
前記（３）  、（４）  で得られた４８時間先の保管品予測表面温度ＴＭＥ  （４８）と建屋内空気の予測露点  ＴｄｐＥ  （４８）との対比によって、４８時間先の保管品の結露の有無を予測する。
【００５９】
この場合、保管品予測表面温度ＴＭＥ  （４８）と建屋内空気の予測露点  ＴｄｐＥ  （４８）との差である下記式で示される温度偏差ΔＴを、保管品の結露の有無の指標として用いることが好ましい。
ΔＴ＝ＴＭＥ  （４８）−  ＴｄｐＥ  （４８）
以上、第１の発明〜第６の発明の結露予測方法、結露予測装置について述べたが、本発明の結露予測方法、結露予測装置においては、図３、図４に示すように、前記した温度偏差ΔＴを求め、温度偏差ΔＴに対して重み付けを行い、さらに風向き、風速の重み付けを行い、得られた結果に基づき結露を予測することがより好ましい。
【００６０】
表１に、上記した重み付けの好適な方法の一例を示す。
表１に示す方法では、下記のように結露発生確率強度を演算し、結露発生に対処する。
すなわち、温度偏差ΔＴの大きさに対応して温度偏差ΔＴに重み付けを行った判定因子Ａを用いる。
【００６１】
判定因子Ａに風向き、風速の重み付けを行い、判定因子（：結露発生確率強度）Ｂを演算する。
結露発生確率強度Ｂに基づき、結露発生に対処する。
なお、表１に示す風向き：ＳＷ〜ＳＥに対する重み付けは、後記する実施例における建屋の立地条件により設定した重み付けであり、重み付けを行う風向き条件は、建屋の立地条件に応じて設定することが好ましい。
【００６２】
【表１】
0003551088.tif 000004
【００６３】
【実施例】
以下、本発明を実施例に基づいてさらに具体的に説明する。
（実施例１）
前記した図１、図３、図４に示す結露予測方法、結露予測装置を用いて、臨海工業地帯に立地した製鉄所の鋼帯コイルの保管建屋（倉庫）内の鋼帯表面の結露予測を行った。
【００６４】
なお、結露予測における判定は、前記した表１に示す判定方法に基づいて行った。
結露予測は、３月１４日から３月１６日にかけての２日間について行った。
気象予報データとしては、気象庁の４８時間先の各都道府県別の気象予報データに基づく製鉄所周辺の気象海象予報（気温、相対湿度、風向き、風速）を、気象予報会社〔（株）アース・ウェザー〕より購入して用いた。
【００６５】
また、建屋外実測データとしては、気温、相対湿度を用い、建屋内実測データとしては気温、相対湿度、保管品表面温度を用いた。
図６に、得られた結果を示す。
なお、図６に示す建屋内空気の相対湿度、建屋内の気温、建屋内鋼帯表面の温度は実測値であり、建屋内空気の露点は、上記相対湿度、気温および湿り空気線図の３者に基づいて求めた露点である。
【００６６】
図６に示すように、結露予測装置によって、３月１５日９時〜３月１６日２時における警戒１次の結露警戒情報、３月１６日２時〜７時における結露注意情報が出力された。
これに対して、３月１５日９時以降、建屋内鋼帯表面の温度と建屋内空気の露点が接近し、３月１５日１３時以降両者の温度の一致が生じ、３月１５日１５時に鋼帯表面の結露が確認された。
【００６７】
また、結露注意情報期間である３月１６日２時〜７時を過ぎた時点以降、建屋内鋼帯表面の温度に対して建屋内空気の露点が低下した。
すなわち、本発明の結露予測方法、結露予測装置による結露予測が的中した。
（実施例２）
前記した実施例１と同一の方法で、３月２４日について鋼帯表面の結露予測を行った。
【００６８】
図７に、得られた結果を示す。
図７に示すように、結露予測装置によって、３月２４日１３時半〜２０時における結露注意情報が出力された。
これに対して、３月２４日６時以降、建屋内鋼帯表面の温度と建屋内空気の露点が接近したが、両者の温度が一致することはなく、鋼帯表面に結露は生じなかった。
【００６９】
すなわち、本発明の結露予測方法、結露予測装置による結露予測が的中した。
【００７０】
【発明の効果】
本発明によれば、結露防止に対する対応の遅れ、結露予測の誤りもしくは結露予測時刻と実際の結露時刻とのずれによる保管品の品質低下、結露防止対策時におけるエネルギー消費量の増加、作業負荷の増大を防止することが可能な、信頼性の高い建屋内保管品の結露予測方法および結露予測装置を提供することが可能となった。
【図面の簡単な説明】
【図１】本発明の結露予測方法におけるシステム構成の一例を示す説明図である。
【図２】本発明の結露予測方法における予測フローおよび結露予測装置の一例を示す説明図である。
【図３】本発明の結露予測方法における予測フローの一例を示す説明図である。
【図４】本発明の結露予測装置の一例を示す説明図である。
【図５】予報気温と建屋外の気温実測値との関係（ａ）  、予報相対湿度と建屋外の相対湿度実測値との関係（ｂ）  を示すグラフである。
【図６】鋼帯表面の結露予測結果を示すグラフである。
【図７】鋼帯表面の結露予測結果を示すグラフである。
【図１】
0003551088.tif 000005
【図２】
0003551088.tif 000006
【図３】
0003551088.tif 000007
【図４】
0003551088.tif 000008
【図５】
0003551088.tif 000009
【図６】
0003551088.tif 000010
【図７】
0003551088.tif 000011